(57)【要約】【課題】  多糖類および多糖類誘導体の少なくとも一方が配合されたインクを用いる場合においても、吐出安定性に優れ、かつ、記録品質に優れたインクジェット記録用インクセットを提供する。【解決手段】  メインインクおよびサブインクを含むインクジェット記録用インクセットであって、前記メインインクは、多糖類および多糖類誘導体の少なくとも一方を含み、前記サブインクは、前記メインインクに含まれる前記多糖類および前記多糖類誘導体の少なくとも一方を分解する酵素を含むことを特徴とする。【選択図】  なし【特許請求の範囲】
【請求項１】
メインインクおよびサブインクを含むインクジェット記録用インクセットであって、
前記メインインクは、多糖類および多糖類誘導体の少なくとも一方を含み、
前記サブインクは、前記メインインクに含まれる前記多糖類および前記多糖類誘導体の少なくとも一方を分解する酵素を含むことを特徴とするインクジェット記録用インクセット。
【請求項２】
さらに、前記メインインクおよび前記サブインクが、それぞれ、着色剤を含み、
前記メインインクにおける前記着色剤の種類および配合量が、前記サブインクにおける前記着色剤の種類および配合量と同一である請求項１記載のインクジェット記録用インクセット。
【請求項３】
さらに、前記メインインクおよび前記サブインクが、それぞれ、水を含み、
前記メインインクにおける前記水と前記多糖類および前記多糖類誘導体の少なくとも一方以外の各成分の種類および配合量が、前記サブインクにおける前記水と前記酵素以外の各成分の種類および配合量と同一である請求項１または２記載のインクジェット記録用インクセット。
【請求項４】
イエローインクセット、マゼンタインクセットおよびシアンインクセットを含むインクジェット記録用フルカラーインクセットであって、
前記イエローインクセットは、前記メインインクおよび前記サブインクに含まれる前記着色剤がイエロー着色剤を含む請求項２記載のインクセットであり、
前記マゼンタインクセットは、前記メインインクおよび前記サブインクに含まれる前記着色剤がマゼンタ着色剤を含む請求項２記載のインクセットであり、
前記シアンインクセットは、前記メインインクおよび前記サブインクに含まれる前記着色剤がシアン着色剤を含む請求項２記載のインクセットである、
インクジェット記録用フルカラーインクセット。
【請求項５】
さらに、ブラックインクセットを含み、
前記ブラックインクセットは、前記メインインクおよび前記サブインクに含まれる前記着色剤がブラック着色剤を含む請求項２記載のインクセットである請求項４記載のインクジェット記録用フルカラーインクセット。
【請求項６】
被記録媒体にインクセット中のインクを吐出して記録するインクジェット記録方法であって、
前記インクセットとして、請求項１〜３のいずれかに記載のインクジェット記録用インクセットを使用し、
前記インクの吐出前の前記メインインクの粘度調整工程を有し、
前記粘度調整工程は、
前記メインインクの粘度に関するパラメータが、予め設定された基準値を外れる場合に、前記メインインクに前記サブインクを混合し、前記メインインク中の前記多糖類および前記多糖類誘導体の少なくとも一方を前記サブインク中の前記酵素で分解することにより前記メインインクの粘度を低下させる工程であることを特徴とするインクジェット記録方法。
【請求項７】
前記粘度調整工程において、前記メインインクの粘度に関するパラメータが、雰囲気温度およびメインインク温度の少なくとも一方である請求項６記載のインクジェット記録方法。
【請求項８】
前記粘度調整工程において、前記雰囲気温度に基づき、前記メインインクに混合する前記サブインクの混合割合を決定する請求項７記載のインクジェット記録方法。
【請求項９】
被記録媒体にインクセット中のインクを吐出して記録するインクジェット記録装置であって、
メインインク収容部、サブインク収容部、インク調製タンク、インク吐出手段および粘度調整手段を含み、
前記インク調製タンクが、前記メインインク収容部、前記サブインク収容部および前記インク吐出手段と、それぞれ、流路で連結され、
前記メインインク収容部には、請求項１記載のインクジェット記録用インクセットのメインインクが収容可能であり、
前記サブインク収容部には、請求項１記載のインクジェット記録用インクセットのサブインクが収容可能であり、
前記粘度調整手段は、パラメータ測定手段およびインク量制御手段を有し、メインインク吐出前の粘度を調整する手段であり、
前記粘度調整手段において、前記パラメータ測定手段により測定されたメインインクの粘度に関するパラメータが、予め設定された基準値を外れる場合に、前記インク量制御手段により、前記インク調製タンク中で、前記メインインクに前記サブインクを混合し、前記メインインク中の前記多糖類および前記多糖類誘導体の少なくとも一方を前記サブインク中の前記酵素で分解することにより前記メインインクの粘度を低下させることを特徴とするインクジェット記録装置。
【請求項１０】
前記粘度調整手段において、前記メインインクの粘度に関するパラメータが、雰囲気温度およびメインインク温度の少なくとも一方である請求項９記載のインクジェット記録装置。
【請求項１１】
前記インク量制御手段が、前記メインインクに対する前記サブインクの混合割合を、それぞれの流量により制御するインク流量制御手段である請求項９または１０記載のインクジェット記録装置。
【請求項１２】
さらに、情報記憶手段を有し、
前記情報記憶手段には、雰囲気温度、前記メインインクの粘度および前記サブインクの混合割合に関するインク混合情報が記憶され、
前記インク量制御手段において、前記インク混合情報に基づき、前記メインインクに混合する前記サブインクの割合を決定する請求項１１記載のインクジェット記録装置。
【発明の詳細な説明】
【技術分野】
【０００１】
本発明は、インクジェット記録用インクセット、インクジェット記録方法およびインクジェット記録装置に関する。
【背景技術】
【０００２】
従来から、インクジェットヘッドのノズルの目詰まり防止および粘度調整を目的に、多糖類又はその誘導体が、インクジェット記録用インクに配合されている（例えば、特許文献１参照）。インクジェット記録装置は、通常、２０℃〜３０℃の室温下で使用される。しかし、地域または季節によっては、インクジェット記録装置が低温下で使用されることがある。低温下の場合、前記多糖類等により、前記インクの粘度が、必要以上に高くなる場合がある。前記インクの粘度が高くなりすぎると、前記インクジェット記録装置において、前記ノズルから適切な量のインクを吐出できないという問題、または、ノズルの目詰まりによる不吐出の問題が、生じることがある。
【先行技術文献】
【特許文献】
【０００３】
【特許文献１】特開２０００−３５１９３１号公報
【発明の概要】
【発明が解決しようとする課題】
【０００４】
そこで、本発明は、多糖類および多糖類誘導体の少なくとも一方が配合されたインクを用いる場合においても、吐出安定性に優れたインクジェット記録用インクセット、インクジェット記録方法およびインクジェット記録装置を提供することを目的とする。
【課題を解決するための手段】
【０００５】
前記目的を達成するために、本発明のインクジェット記録用インクセットは、メインインクおよびサブインクを含むインクジェット記録用インクセットであって、前記メインインクは、多糖類および多糖類誘導体の少なくとも一方を含み、前記サブインクは、前記メインインクに含まれる前記多糖類および前記多糖類誘導体の少なくとも一方を分解する酵素を含むことを特徴とする。
【０００６】
本発明のインクジェット記録用フルカラーインクセットは、イエローインクセット、マゼンタインクセットおよびシアンインクセットを含むインクジェット記録用フルカラーインクセットであって、
前記イエローインクセットは、前記メインインクおよび前記サブインクに含まれる前記着色剤がイエロー着色剤を含む前記インクセットであり、
前記マゼンタインクセットは、前記メインインクおよび前記サブインクに含まれる前記着色剤がマゼンタ着色剤を含む前記インクセットであり、
前記シアンインクセットは、前記メインインクおよび前記サブインクに含まれる前記着色剤がシアン着色剤を含む前記インクセットであることを特徴とする。
【０００７】
本発明のインクジェット記録方法は、被記録媒体にインクセット中のインクを吐出して記録するインクジェット記録方法であって、
前記インクセットとして、前記インクジェット記録用インクセットを使用し、
前記インクの吐出前の前記メインインクの粘度調整工程を有し、
前記粘度調整工程は、
前記メインインクの粘度に関するパラメータが、予め設定された基準値を外れる場合に、前記メインインクに前記サブインクを混合し、前記メインインク中の前記多糖類および前記多糖類誘導体の少なくとも一方を前記サブインク中の前記酵素で分解することにより前記メインインクの粘度を低下させる工程であることを特徴とする。
【０００８】
本発明のインクジェット記録装置は、被記録媒体にインクセット中のインクを吐出して記録するインクジェット記録装置であって、
メインインク収容部、サブインク収容部、インク調製タンク、インク吐出手段および粘度調整手段を含み、
前記インク調製タンクが、前記メインインク収容部、前記サブインク収容部および前記インク吐出手段と、それぞれ、流路で連結され、
前記メインインク収容部には、前記インクジェット記録用インクセットのメインインクが収容可能であり、
前記サブインク収容部には、前記インクジェット記録用インクセットのサブインクが収容可能であり、
前記粘度調整手段は、パラメータ測定手段およびインク量制御手段を有し、メインインク吐出前の粘度を調整する手段であり、
前記粘度調整手段において、前記パラメータ測定手段により測定されたメインインクの粘度に関するパラメータが、予め設定された基準値を外れる場合に、前記インク量制御手段により、前記インク調製タンク中で、前記メインインクに前記サブインクを混合し、前記メインインク中の前記多糖類および前記多糖類誘導体の少なくとも一方を前記サブインク中の前記酵素で分解することにより前記メインインクの粘度を低下させることを特徴とする。
【発明の効果】
【０００９】
前述のとおり、本発明では、多糖類および多糖類誘導体の少なくとも一方を含むメインインクと、前記多糖類および前記多糖類誘導体の少なくとも一方を分解する酵素を含むサブインクとを用いる。本発明では、前記メインインクの粘度に関するパラメータが、予め設定された基準値を外れる場合に、前記メインインクに前記サブインクを混合することで前記多糖類および前記多糖類誘導体の少なくとも一方を分解することにより前記メインインクの粘度を低下させることが可能である。このため、本発明では、吐出安定性に優れる。また、本発明では、酵素を含むサブインクを使用するため、例えば、少量のサブインクの使用で、インクの粘度を効果的に下げることが可能である。
【図面の簡単な説明】
【００１０】
【図１】図１（Ａ）は、本発明のインクジェット記録方法の一例におけるフローチャートであり、図１（Ｂ）は、本発明のインクジェット記録装置の構成の一例を示す概略ブロック図である。
【図２】図２（Ａ）は、本発明のインクジェット記録方法の一例におけるフローチャートであり、図２（Ｂ）は、本発明のインクジェット記録装置の構成の一例を示す概略ブロック図である。
【図３】図３は、実施例１およびコントロール１のインクジェット記録用インクセットの１０℃、１５℃、２０℃、２５℃および３０℃の各雰囲気温度におけるメインインクに対するサブインクの混合割合とインク粘度との関係を示すグラフである。
【発明を実施するための形態】
【００１１】
本発明のインクジェット記録方法では、前記粘度調整工程において、前記メインインクの粘度に関するパラメータは、例えば、メインインクの粘度自身、雰囲気温度、メインインク温度等があげられ、好ましくは、インクジェットヘッド付近の雰囲気温度である。また、本発明のインクジェット記録装置では、前記粘度調整手段において、前記メインインクの粘度に関するパラメータは、例えば、メインインクの粘度自身、雰囲気温度、メインインク温度等があげられ、好ましくは、インクジェットヘッド付近の雰囲気温度である。
【００１２】
本発明のインクジェット記録用インクセット、インクジェット記録方法およびインクジェット記録装置において、さらに、前記メインインクおよび前記サブインクが、それぞれ、着色剤を含み、前記メインインクにおける前記着色剤の種類および配合量が、前記サブインクにおける前記着色剤の種類および配合量と同一であることが好ましい。これにより、前記メインインクに前記サブインクを混合しても、インクの色調変化が小さく、記録品質により優れる。
【００１３】
本発明のインクジェット記録用インクセット、インクジェット記録方法およびインクジェット記録装置において、さらに、前記メインインクおよび前記サブインクが、それぞれ、水を含み、前記メインインクにおける前記水と前記多糖類および前記多糖類誘導体の少なくとも一方以外の各成分の種類および配合量が、前記サブインクにおける前記水と前記酵素以外の各成分の種類および配合量と同一であることが好ましい。これにより、前記メインインクと前記サブインクの各種特性値（表面張力、ｐＨ、導電率および密度等）が近似した値となるため、前記メインインクに前記サブインクを混合する場合に、粘度変化のみを考慮すればよく、インクの粘度調整が容易となる。
【００１４】
本発明のインクジェット記録用インクセット、インクジェット記録方法およびインクジェット記録装置において、前記フルカラーインクセットを使用することが好ましい。
【００１５】
前記フルカラーインクセットにおいて、さらに、ブラックインクセットを含み、
前記ブラックインクセットは、前記メインインクおよび前記サブインクに含まれる前記着色剤がブラック着色剤を含む前記インクセットであることが好ましい。
【００１６】
つぎに、本発明のインクジェット記録用インクセットについて説明する。本発明のインクジェット記録用インクセット（以下、単に「インクセット」と言うことがある）は、メインインクおよびサブインクを含む。
【００１７】
まず、前記メインインクについて説明する。前記メインインクは、多糖類および多糖類誘導体の少なくとも一方（以下、「多糖類等」と言うことがある）を含む。前記メインインクに前記多糖類等を含ませることで、例えば、前記メインインクの粘度を適度なものとし、顔料の分散を安定化させ、インクの定着性を向上させることができる。前記多糖類としては、特に限定されず、例えば、アミロース、アミロペクチン、デンプン、アガロース、ペクチン、キサンタンガム、グアーガム、アルギン酸、ローカストビーンガム、ヒアルロン酸、キチン、ヘパリン、コンドロイチン等があげられる。前記多糖類誘導体としては、特に限定されず、例えば、ヒドロキシプロピルグアーガム、カチオン化グアーガム、カルボキシメチルセルロースナトリウム、ヒドロキシエチルセルロース、ヒドロキシプロピルセルロース、カチオン化セルロース等があげられる。前記多糖類等は、１種類を単独で用いてもよいし、２種類以上を併用してもよい。
【００１８】
前記メインインク全量に対する前記多糖類等の配合割合（多糖類等配合割合）は、インクジェット記録装置を標準的な雰囲気温度（例えば、２０℃〜３０℃）下で使用することを想定した場合に、前記メインインクの粘度を適度なものとできる量とすることが好ましい。前記多糖類等配合割合は、前記多糖類等の種類、前記メインインクの組成等に応じて適宜決定されるが、例えば、０．０１重量％〜１０重量％であり、好ましくは、０．０３重量％〜５重量％であり、より好ましくは、０．０５重量％〜３重量％である。
【００１９】
前記メインインクは、さらに、着色剤を含むことが好ましい。前記メインインクに含ませる着色剤は、特に限定されず、染料または顔料のいずれであってもよい。また、前記着色剤として、染料および顔料を混合して用いてもよい。
【００２０】
前記染料は、特に限定されず、例えば、直接染料、酸性染料、塩基性染料、反応性染料等があげられる。前記染料の具体例としては、例えば、Ｃ．Ｉ．ダイレクトブラック、Ｃ．Ｉ．ダイレクトブルー、Ｃ．Ｉ．ダイレクトレッド、Ｃ．Ｉ．ダイレクトイエロー、Ｃ．Ｉ．ダイレクトオレンジ、Ｃ．Ｉ．ダイレクトバイオレット、Ｃ．Ｉ．ダイレクトブラウン、Ｃ．Ｉ．ダイレクトグリーン、Ｃ．Ｉ．アシッドブラック、Ｃ．Ｉ．アシッドブルー、Ｃ．Ｉ．アシッドレッド、Ｃ．Ｉ．アシッドイエロー、Ｃ．Ｉ．アシッドオレンジ、Ｃ．Ｉ．アシッドバイオレット、Ｃ．Ｉ．ベーシックブラック、Ｃ．Ｉ．ベーシックブルー、Ｃ．Ｉ．ベーシックレッド、Ｃ．Ｉ．ベーシックバイオレットおよびＣ．Ｉ．フードブラック等があげられる。前記Ｃ．Ｉ．ダイレクトブラックとしては、例えば、Ｃ．Ｉ．ダイレクトブラック１７、１９、３２、５１、７１、１０８、１４６、１５４および１６８等があげられる。前記Ｃ．Ｉ．ダイレクトブルーとしては、例えば、Ｃ．Ｉ．ダイレクトブルー６、２２、２５、７１、８６、９０、１０６および１９９等があげられる。前記Ｃ．Ｉ．ダイレクトレッドとしては、例えば、Ｃ．Ｉ．ダイレクトレッド１、４、１７、２８、８３および２２７等があげられる。前記Ｃ．Ｉ．ダイレクトイエローとしては、例えば、Ｃ．Ｉ．ダイレクトイエロー１２、２４、２６、８６、９８、１３２、１４２および１７３等があげられる。前記Ｃ．Ｉ．ダイレクトオレンジとしては、例えば、Ｃ．Ｉ．ダイレクトオレンジ３４、３９、４４、４６および６０等があげられる。前記Ｃ．Ｉ．ダイレクトバイオレットとしては、例えば、Ｃ．Ｉダイレクトバイオレット４７および４８等があげられる。前記Ｃ．Ｉ．ダイレクトブラウンとしては、例えば、Ｃ．Ｉ．ダイレクトブラウン１０９等があげられる。前記Ｃ．Ｉ．ダイレクトグリーンとしては、例えば、Ｃ．Ｉ．ダイレクトグリーン５９等があげられる。前記Ｃ．Ｉ．アシッドブラックとしては、例えば、Ｃ．Ｉ．アシッドブラック２、７、２４、２６、３１、５２、６３、１１２および１１８等があげられる。前記Ｃ．Ｉ．アシッドブルーとしては、例えば、Ｃ．Ｉ．アシッドブルー９、２２、４０、５９、９３、１０２、１０４、１１７、１２０、１６７、２２９および２３４等があげられる。前記Ｃ．Ｉ．アシッドレッドとしては、例えば、Ｃ．Ｉ．アシッドレッド１、６、３２、３７、５１、５２、８０、８５、８７、９２、９４、１１５、１８０、２５６、２８９、３１５および３１７等があげられる。前記Ｃ．Ｉ．アシッドイエローとしては、例えば、Ｃ．Ｉ．アシッドイエロー１１、１７、２３、２５、２９、４２、６１および７１等があげられる。前記Ｃ．Ｉ．アシッドオレンジとしては、例えば、Ｃ．Ｉ．アシッドオレンジ７および１９等があげられる。前記Ｃ．Ｉ．アシッドバイオレットとしては、例えば、Ｃ．Ｉ．アシッドバイオレット４９等があげられる。前記Ｃ．Ｉ．ベーシックブラックとしては、例えば、Ｃ．Ｉ．ベーシックブラック２等があげられる。前記Ｃ．Ｉ．ベーシックブルーとしては、例えば、Ｃ．Ｉ．ベーシックブルー１、３、５、７、９、２４、２５、２６、２８および２９等があげられる。前記Ｃ．Ｉ．ベーシックレッドとしては、例えば、Ｃ．Ｉ．ベーシックレッド１、２、９、１２、１３、１４および３７等があげられる。前記Ｃ．Ｉ．ベーシックバイオレットとしては、例えば、Ｃ．Ｉ．ベーシックバイオレット７、１４および２７等があげられる。前記Ｃ．Ｉ．フードブラックとしては、例えば、Ｃ．Ｉ．フードブラック１および２等があげられる。これらの染料は、例えば、鮮明性、水溶性および安定性等の特性に優れる。
【００２１】
前記メインインク全量に対する前記染料の配合割合（染料割合）は、特に限定されず、例えば、０．１重量％〜２０重量％である。前記メインインクが安定で、且つ、前記メインインク中に沈殿物を生じることがなければ、前記染料割合を２０重量％以上としてもよい。前記染料は、１種類を単独で用いてもよいし、２種類以上を併用してもよい。
【００２２】
前記顔料は、特に限定されず、例えば、カーボンブラック、無機顔料および有機顔料等が使用できる。前記カーボンブラックとしては、例えば、ファーネスブラック、ランプブラック、アセチレンブラック、チャンネルブラック等があげられる。前記無機顔料としては、例えば、酸化チタン、酸化鉄系無機顔料およびカーボンブラック系無機顔料等があげられる。前記有機顔料としては、例えば、アゾレーキ、不溶性アゾ顔料、縮合アゾ顔料、キレートアゾ顔料等のアゾ顔料；フタロシアニン顔料、ペリレンおよびペリノン顔料、アントラキノン顔料、キナクリドン顔料、ジオキサジン顔料、チオインジゴ顔料、イソインドリノン顔料、キノフタロン顔料等の多環式顔料；塩基性染料型レーキ顔料、酸性染料型レーキ顔料等の染料レーキ顔料；ニトロ顔料；ニトロソ顔料；アニリンブラック昼光蛍光顔料；等があげられる。また、その他の顔料であっても水相に分散可能なものであれば使用できる。これら顔料としては、例えば、Ｃ．Ｉ．ピグメントブラック１、６および７；Ｃ．Ｉ．ピグメントイエロー１、２、３、１２、１３、１４、１５、１６、１７、５５、７３、７４、７５、８３、９３、９４、９５、９７、９８、１１４、１２８、１２９、１３８、１５０、１５１、１５４、１８０、１８５および１９４；Ｃ．Ｉ．ピグメントオレンジ３１および４３；Ｃ．Ｉ．ピグメントレッド２、３、５、６、７、１２、１５、１６、４８、４８：１、５３：１、５７、５７：１、１１２、１２２、１２３、１３９、１４４、１４６、１４９、１６６、１６８、１７５、１７６、１７７、１７８、１８４、１８５、１９０、２０２、２２１、２２２、２２４および２３８；Ｃ．Ｉ．ピグメントバイオレット１９６；Ｃ．Ｉ．ピグメントブルー１、２、３、１５、１５：１、１５：２、１５：３、１５：４、１６、２２および６０；Ｃ．Ｉ．ピグメントグリーン７および３６等があげられる。
【００２３】
前記顔料には、自己分散型顔料等の表面改質を施した顔料が含まれる。前記表面改質を施した顔料とは、前記顔料の表面を特定の官能基で処理した顔料である。
【００２４】
前記メインインク全量に対する前記顔料の配合割合（顔料割合）は、特に限定されず、例えば、所望の印字濃度または色彩等により、適宜決定できる。前記顔料割合は、例えば、１重量％〜２０重量％であり、好ましくは、１重量％〜１５重量％である。前記顔料は、１種類を単独で用いてもよいし、２種類以上を併用してもよい。
【００２５】
前記メインインクが前記顔料を含む場合、必要に応じて、前記メインインクに分散剤を添加してもよい。前記分散剤としては、特に限定されないが、例えば、高分子量ポリウレタン；ポリエステル；カルボニル基またはアミノ基等の顔料に対して強い親和性を示す官能基を含む高分子共重合体；等が好適である。
【００２６】
前記メインインクは、さらに、水を含むことが好ましい。前記水は、イオン交換水または純水であることが好ましい。前記メインインク全量に対する前記水の配合割合は、例えば、１０重量％〜９０重量％であり、好ましくは、４０重量％〜８０重量％である。前記水の配合割合は、例えば、他の成分の残部としてもよい。
【００２７】
前記メインインクは、さらに、水溶性有機溶剤を含んでもよい。前記水溶性有機溶剤は、例えば、インクジェットヘッドの先端部におけるインクの乾燥を防止する湿潤剤および被記録媒体上での乾燥速度を調整する浸透剤に分類される。
【００２８】
前記湿潤剤は、特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；１，３−ブタンジオール、１，５−ペンタンジオール、１，６−ヘキサンジオール、グリセリン、１，２，６−ヘキサントリオール、１，２，４−ブタントリオール、１，２，３−ブタントリオール、ペンタントリオール、アルキレングリコール、ポリアルキレングリコール等の多価アルコール；ホルムアミド、Ｎ−メチルホルムアミド、Ｎ，Ｎ−ジメチルホルムアミド、ジメチルアセトアミド等のアミド；モノエタノールアミン、ジエタノールアミン、トリエタノールアミン、モノエチルアミン、ジエチルアミン、トリエチルアミン等のアミン；アセトン等のケトン；ジアセトンアルコール等のケトアルコール；テトラヒドロフラン、ジオキサン等のエーテル；２−ピロリドン；Ｎ−メチル−２−ピロリドン；Ｎ−ヒドロキシエチル−２−ピロリドン；１，３−ジメチル−２−イミダゾリジノン、ε−カプロラクタム等の含窒素複素環化合物；ジメチルスルホキシド、スルホラン、チオジエタノール等の含硫黄化合物；等があげられる。前記アルキレングリコールは、特に限定されず、例えば、エチレングリコール、ジエチレングリコール、トリエチレングリコール、プロピレングリコール、ジプロピレングリコール、トリプロピレングリコール、ブチレングリコール、チオジグリコール、ヘキシレングリコール等があげられる。前記ポリアルキレングリコールは、特に限定されず、例えば、ポリエチレングリコール、ポリプロピレングリコール等があげられる。これらの中でも、グリセリン、アルキレングリコール等の多価アルコールが好適である。前記湿潤剤は、１種類を単独で用いてもよいし、２種類以上を併用してもよい。
【００２９】
前記メインインク全量に対する前記湿潤剤の配合割合（湿潤剤割合）は、特に限定されず、例えば、０重量％〜９５重量％であり、好ましくは、１０重量％〜８０重量％であり、より好ましくは、１０重量％〜５０重量％である。
【００３０】
前記浸透剤は、特に限定されず、例えば、エチレングリコールメチルエーテル、エチレングリコールエチルエーテル、エチレングリコールプロピルエーテル、エチレングリコールブチルエーテル、ジエチレングリコールメチルエーテル、ジエチレングリコールエチルエーテル、ジエチレングリコールプロピルエーテル、ジエチレングリコールブチルエーテル、ジエチレングリコールジメチルエーテル、ジエチレングリコールジエチルエーテル、ジエチレングリコールジプロピルエーテル、ジエチレングリコールジブチルエーテル、トリエチレングリコールメチルエーテル、トリエチレングリコールエチルエーテル、トリエチレングリコールプロピルエーテル、トリエチレングリコールブチルエーテル、トリエチレングリコールジメチルエーテル、トリエチレングリコールジエチルエーテル、トリエチレングリコールジプロピルエーテル、トリエチレングリコールジブチルエーテル、プロピレングリコールメチルエーテル、プロピレングリコールエチルエーテル、プロピレングリコールプロピルエーテル、プロピレングリコールブチルエーテル、ジプロピレングリコールメチルエーテル、ジプロピレングリコールエチルエーテル、ジプロピレングリコールプロピルエーテル、ジプロピレングリコールブチルエーテル、ジプロピレングリコールジメチルエーテル、ジプロピレングリコールジエチルエーテル、ジプロピレングリコールジプロピルエーテル、ジプロピレングリコールジブチルエーテル、トリプロピレングリコールメチルエーテル、トリプロピレングリコールエチルエーテル、トリプロピレングリコールプロピルエーテル、トリプロピレングリコールブチルエーテル、トリプロピレングリコールジメチルエーテル、トリプロピレングリコールジエチルエーテル、トリプロピレングリコールジプロピルエーテル、トリプロピレングリコールジブチルエーテル等があげられる。前記浸透剤は、１種類を単独で用いてもよいし、２種類以上を併用してもよい。
【００３１】
前記インク全量に対する前記浸透剤の配合割合（浸透剤割合）は、特に限定されず、例えば、０重量％〜２０重量％である。前記浸透剤割合を前記範囲とすることで、前記インクの記録紙等の被記録媒体への浸透性を、より好適なものとできる。前記浸透剤割合は、好ましくは、０．１重量％〜１５重量％であり、より好ましくは、１重量％〜１０重量％である。
【００３２】
前記メインインクは、必要に応じて、さらに、従来公知の添加剤を含んでもよい。前記添加剤としては、例えば、界面活性剤、粘度調整剤、表面張力調整剤、ｐＨ調整剤、防黴剤等があげられる。前記粘度調整剤は、特に限定されず、例えば、ポリビニルアルコール、ポリビニルピロリドン、水溶性樹脂等があげられる。
【００３３】
前記メインインクは、例えば、多糖類等と他の添加成分とを、従来公知の方法で均一に混合し、フィルタ等で不溶解物を除去することにより調製できる。
【００３４】
つぎに、前記サブインクについて説明する。前記サブインクは、前記メインインクに含まれる多糖類等を分解する酵素を含む。前記サブインクは、必要に応じて、前記メインインクの粘度調整のために前記メインインクに混合されるものである。前記酵素は、前記メインインクに含まれる多糖類等の種類に応じて選択される。例えば、前記メインインクに含まれる多糖類等が、カルボキシメチルセルロースナトリウム、ヒドロキシエチルセルロース、ヒドロキシプロピルセルロース、カチオン化セルロース等のセルロース系である場合には、前記酵素として、セルラーゼがあげられる。また、例えば、前記メインインクに含まれる多糖類等が、アミロース、アミロペクチン、デンプン等である場合には、前記酵素として、アミラーゼがあげられる。さらに、例えば、前記メインインクに含まれる多糖類等が、ペクチン等である場合には、前記酵素として、ペクチナーゼがあげられる。
【００３５】
前記サブインク全量に対する前記酵素の配合割合（酵素配合割合）は、前記酵素の種類、前記メインインクに含まれる多糖類等の種類および配合量、前記粘度調整後の所望のインク粘度等に応じて適宜決定されるが、例えば、０．０１重量％〜１０重量％であり、好ましくは、０．０３重量％〜５重量％であり、より好ましくは、０．０５重量％〜３重量％である。
【００３６】
前記サブインクは、さらに、着色剤を含むことが好ましい。前記着色剤およびその配合割合は、前述のメインインクにおける着色剤およびその配合割合と同様である。
【００３７】
前記サブインクが前記顔料を含む場合、必要に応じて、前記サブインクに分散剤を添加してもよい。前記分散剤は、前述のメインインクにおける分散剤と同様である。
【００３８】
前記サブインクは、さらに、水を含むことが好ましい。前記水およびその配合割合は、前述のメインインクにおける水およびその配合割合と同様である。
【００３９】
前記サブインクは、さらに、水溶性有機溶剤を含んでもよい。前記水溶性有機溶剤およびその配合割合は、前述のメインインクにおける水溶性有機溶剤およびその配合割合と同様である。
【００４０】
前記サブインクは、必要に応じて、さらに、従来公知の添加剤を含んでもよい。前記添加剤としては、前述のメインインクにおける添加剤と同様である。
【００４１】
前記サブインクは、例えば、酵素と他の添加成分とを、従来公知の方法で均一に混合し、フィルタ等で不溶解物を除去することにより調製できる。
【００４２】
つぎに、本発明のインクジェット記録方法およびインクジェット記録装置について、例を示して説明する。
【００４３】
図１に、本発明のインクジェット記録方法の一例のフローチャート（図１（Ａ））および本発明のインクジェット記録装置の構成の一例の概略ブロック図（図１（Ｂ））を示す。
【００４４】
まず、図１（Ｂ）に示すように、前記インクジェット記録装置１００は、メインインク収容部１０と、サブインク収容部２０と、インク調製タンク３０と、インクジェットヘッド４０とを主要な構成部材として含む。インクジェット記録装置１００において、前記インクジェットヘッド４０が、前記インク吐出手段である。前記インク調製タンク３０は、前記メインインク収容部１０、前記サブインク収容部２０および前記インクジェットヘッド４０と、それぞれ、流路で連結されている。前記メインインク収容部１０および前記サブインク収容部２０には、それぞれ、前記インクジェット記録用インクセットを構成するメインインクおよびサブインクが収容されている。前記インク調製タンク３０は、撹拌機を備えていることが好ましい（図示せず）。前記インク調製タンク３０は、さらに、インクの粘度や温度を測定する手段を備えていてもよい（図示せず）。本例のインクジェット記録装置１００は、さらに、粘度調整手段として、温度測定手段５０および２つのインク量制御手段６０Ａ、６０Ｂを含む。前記温度測定手段５０は、前記インクジェットヘッド４０近傍に配置され、前記２つのインク量制御手段６０Ａ、６０Ｂと接続している。前記温度測定手段５０は、測定した温度を電子信号情報として生成する。前記２つのインク量制御手段６０Ａ、６０Ｂは、インク送液ポンプ（図示せず）およびバルブ開閉制御装置（図示せず）を含む。前記温度測定手段５０で生成した温度情報は、中央処理装置（ＣＰＵ）（図示せず）に送信され、前記ＣＰＵにおいて、雰囲気温度、インク粘度およびメインインクに対するサブインクの混合割合を記憶する情報記憶手段（図示せず）のデータを基に、メインインクに対するサブインクの混合割合が決定され、前記混合割合情報が、前記２つのインク量制御手段６０Ａ、６０Ｂに送信される。そして、前記インク量制御手段６０Ａ、６０Ｂにより、メインインクおよびサブインクのそれぞれの流量が決定される。
【００４５】
本例のインクジェット記録方法およびインクジェット記録装置における記録は、例えば、つぎのようにして実施される。
【００４６】
まず、図１（Ａ）および（Ｂ）に示すように、前記メインインクの粘度に関するパラメータが、予め設定された基準値を外れるか否かを判断する（ステップＳ１）。前記メインインクの粘度に関するパラメータが、予め基準値を外れない場合（Ｎｏ）は、後述のようにして、前記メインインクを用いて記録を実施する。前記メインインクの粘度に関するパラメータが、予め設定された基準値を外れる場合（Ｙｅｓ）は、前記メインインクに前記サブインクを混合し、前記メインインク中の前記多糖類等を前記サブインク中の前記酵素で分解することにより前記メインインクの粘度を低下させる（ステップＳ１−１）。例えば、前記温度測定手段５０により測定された雰囲気温度に基づき、前記メインインクの粘度が所定の値以下であるか否かを判断する。前記雰囲気温度に基づきメインインクの粘度を判断する方法は、例えば、予め、雰囲気温度およびインク粘度の関係テーブルを作成し、前記テーブルを前記情報記憶手段に記憶させ、前記テーブルを参照することにより実施できる。前記メインインクの粘度が所定の値以下である場合は、後述のようにして、前記メインインクを用いて記録を実施する。前記メインインクの粘度が前記所定の値を超える場合は、前記メインインクに前記サブインクを混合して前記多糖類等を分解し、前記所定の値以下にインクの粘度を調整する。例えば、前記雰囲気温度がＴ１であり、温度Ｔ１における前記メインインクの粘度が所定の値以下である場合、前記インク調製タンク３０には、前記メインインクのみが供給される。一方、温度Ｔ１における前記メインインクの粘度が所定の値を超える場合、前記２つのインク量制御手段６０Ａ、６０Ｂにより、前記インク調製タンク３０に供給される前記メインインクおよび前記サブインクの量が制御される。前記メインインクおよび前記サブインクの量は、前記メインインクおよび前記サブインクの流量を同一として各インクの供給時間を調整することで制御しても、前記メインインクおよび前記サブインクの供給時間を同一として各インクの流量を調整することで制御してもよい。前記インク調製タンク３０に供給された前記メインインクおよび前記サブインクが、前記インク調製タンク３０内で混合されることで、前記メインインクに含まれる多糖類等が前記サブインクに含まれる酵素により分解され、前記所定の値以下にインクの粘度を調整される。前記所定の値は、前記インクジェットヘッド４０からインクを適切な量で吐出できるインク粘度とすればよく、前記インクジェットヘッド４０の種類等に応じて適宜決定されるが、例えば、２ｍＰａ・ｓ〜１０ｍＰａ・ｓである。メインインクに対するサブインクの混合割合は、例えば、予め、雰囲気温度、インク粘度、およびメインインクに対するサブインクの混合割合の関係のテーブルを作成し、前記テーブルを前記情報記憶手段に記憶させ、前記テーブルを参照することにより決定できる。
【００４７】
つぎに、図１（Ａ）および（Ｂ）に示すように、前記インク調製タンク３０から供給される前記メインインクまたは前記粘度を低下させたインクを前記インクジェットヘッド４０により吐出して、記録を実施する（ステップＳ２）。
【００４８】
なお、この例において、前記温度測定手段に代えて、メインインク温度測定手段を含んでもよい。この場合には、前記雰囲気温度およびインク粘度の関係テーブルに代えて、メインインク温度およびインク粘度の関係テーブルを作成する。
【００４９】
図２に、本発明のインクジェット記録方法のその他の例のフローチャート（図２（Ａ））および本発明のインクジェット記録装置の構成のその他の例の概略ブロック図（図２（Ｂ））を示す。図２において、図１と同一部分には、同一符号を付している。図２（Ｂ）に示すように、前記インクジェット記録装置２００は、前記インク調製タンク３０と前記インクジェットヘッド４０との間に、インク量調整タンク７０を備えている点を除き、図１（Ｂ）に示したインクジェット記録装置と同様である。
【００５０】
本例のインクジェット記録方法およびインクジェット記録装置における記録は、例えば、つぎのようにして実施される。
【００５１】
まず、図２（Ａ）および（Ｂ）に示すように、前記メインインクの粘度に関するパラメータが、予め設定された基準値を外れるか否かを判断する（ステップＳ１）。前記メインインクの粘度に関するパラメータが、予め設定された基準値を外れない場合（Ｎｏ）は、前記メインインクのみを前記インク調製タンク３０を介して、前記インク量調整タンク７０に供給し、貯蔵する（ステップＳ１−１ａ）。前記メインインクの粘度に関するパラメータが、予め設定された基準値を外れる場合（Ｙｅｓ）は、前記インク調製タンク３０において、前記メインインクに前記サブインクを混合し、前記メインインク中の前記多糖類等を前記サブインク中の前記酵素で分解することにより前記メインインクの粘度を低下させる（ステップＳ１−１ｂ）。その後、前記粘度を低下させたインクを、前記インク量調整タンク７０に供給し、貯蔵する（ステップＳ１−２ｂ）。例えば、前記温度測定手段５０により測定された雰囲気温度に基づき、前記メインインクの粘度が所定の値以下であるか否かを判断する。前記メインインクの粘度が所定の値以下である場合は、前記メインインクのみを前記インク調製タンク３０を介して、前記インク量調整タンク７０に供給し、貯蔵する。前記メインインクの粘度が前記所定の値を超える場合は、前記インク調製タンク３０において、前記メインインクに前記サブインクを混合して前記多糖類等を分解し、前記所定の値以下にインクの粘度を調整する。その後、前記所定の値以下に粘度を調整したインクを、前記インク量調整タンク７０に供給し、貯蔵する。
【００５２】
つぎに、図２（Ａ）および（Ｂ）に示すように、前記インク量調整タンク７０から供給される前記メインインクまたは前記粘度を低下させたインクを前記インクジェットヘッド４０により吐出して、記録を実施する（ステップＳ２）。
【００５３】
本例のインクジェット記録装置２００では、前記インク量調整タンク７０に、前記粘度を低下させたインクを貯蔵しておくことができるため、安定的に記録を実施できる。
【００５４】
なお、この例において、前記温度測定手段に代えて、メインインク温度測定手段を含んでもよい。この場合には、前記雰囲気温度およびインク粘度の関係テーブルに代えて、メインインク温度およびインク粘度の関係テーブルを作成する。
【実施例】
【００５５】
つぎに、本発明の実施例について説明する。なお、本発明は、下記の実施例によって限定および制限されない。
【００５６】
［実施例１およびコントロール１］
インク組成成分（表１）のうち、自己分散型カーボンブラックを除く成分を、均一に混合しインク溶媒を得た。つぎに、自己分散型カーボンブラックに前記インク溶媒を徐々に加え、均一に混合した。その後、得られた混合物を、東洋濾紙（株）製のセルロースアセテートタイプメンブレンフィルタ（孔径３．００・香jで濾過することで、多糖類誘導体を含むメインインク、前記多糖類誘導体を分解する酵素を含むサブインク１および前記酵素を含まないサブインク２を調製した。前記メインインクおよび前記サブインク１を組み合わせることで、実施例１のインクジェット記録用インクセットを得た。また、前記メインインクおよび前記サブインク２を組み合わせることで、コントロール１のインクジェット記録用インクセットを得た。
【００５７】
【表１】
2009209360.tif 000002
【００５８】
表２に示すように、実施例１およびコントロール１のインクジェット記録用インクセットについて、前記メインインクに前記サブインクを混合した後、インク粘度を測定した。前記メインインクへの前記サブインクの混合方法および前記インク粘度の測定方法は、下記のとおりである。
【００５９】
（メインインクへのサブインクの混合方法）
１０℃、１５℃、２０℃、２５℃および３０℃の各温度に設定した水槽にビーカーを浸し、前記ビーカーに前記メインインクを投入した。ついで、前記メインインクを３０分撹拌し、前記メインインクの温度変化を収束させた。つぎに、前記ビーカーにさらに前記サブインクを投入し、１時間撹拌混合した。
【００６０】
（インク粘度測定方法）
１０℃、１５℃、２０℃、２５℃および３０℃の各温度に設定した回転式Ｂ型粘度計（ＤＶ−ＩＩ、ＢｒｏｏｋＦｉｅｌｄ社製）を用いて、前記撹拌混合後のインクの粘度を測定した。
【００６１】
【表２】
2009209360.tif 000003
【００６２】
表２および図３に示すように、各温度において、サブインクが酵素を含む実施例１のインクセットでは、サブインクが酵素を含まないコントロール１のインクセットに比べ、メインインクにサブインクを混合することで、インクの粘度が効率よく低下した。特に、１０℃および１５℃の低温下において、実施例１のインクセットは、コントロール１のインクセットよりも大幅にインクの粘度を低下させることが可能であった。したがって、コントロール１のように、酵素を含まないサブインクを使用すると、インクの粘度を下げるためには、大量のサブインクを必要とする。これに対し、本発明の実施例では、酵素を含むサブインクを使用するため、少量のサブインクの使用で、インクの粘度を効果的に下げることが可能である。
【産業上の利用可能性】
【００６３】
以上のように、本発明のインクジェット記録用インクセットは、吐出安定性に優れたものである。本発明のインクジェット記録用インクセットの用途は、特に限定されず、各種のインクジェット記録に広く適用可能である。
【符号の説明】
【００６４】
１０  メインインク収容部
２０  サブインク収容部
３０  インク調製タンク
４０  インクジェットヘッド
５０  温度測定手段
６０Ａ、６０Ｂ  インク量制御手段
７０  インク量調整タンク
１００、２００  インクジェット記録装置
【図１】
2009209360.tif 000004
【図２】
2009209360.tif 000005
【図３】
2009209360.tif 000006